(57)【要約】【課題】不織布に接着されるテープなどの他の部材と不織布との固着性能を向上できる使い捨て用品を提供する。【解決手段】使い捨て用品１を構成する不織布２ａのテープ固着部位１８を、不織布を構成している繊維を圧密させた状態で相互に融着させた圧密融着部１９とし、この圧密融着部１９に後処理テープ１１の一端部などの他の部材を固着し、固着性能を向上した。【選択図】　　　　図３
2004073297.tif 000002
【特許請求の範囲】
【請求項１】
使い捨て用品を構成する不織布の一部に他の部材を固着した使い捨て用品において、不織布の固着部位を、不織布を構成している繊維を圧密させた状態で相互に融着させた圧密融着部とし、この圧密融着部に他の部材を固着したことを特徴とする使い捨て用品。
【請求項２】
他の部材は、不織布に一端部が固着され、他端部に設けられた接着部を外面の任意の箇所に接着可能なテープであり、前記圧密融着部にテープの一端部を固着したことを特徴とする請求項１記載の使い捨て用品。
【請求項３】
テープの一端部と圧密融着部を粘着材にて接着固定したことを特徴とする請求項２記載の使い捨て用品。
【請求項４】
テープの一端部と圧密融着部を加熱溶融させて一体固着したことを特徴とする請求項２記載の使い捨て用品。
【請求項５】
テープは、使い捨て用品の廃棄時に結束する後処理テープであることを特徴とする請求項２〜４の何れかに記載の使い捨て用品。
【請求項６】
テープは、フラット型使い捨ておむつを装着する止着テープであることを特徴とする請求項２〜４の何れかに記載の使い捨て用品。
【請求項７】
止着テープの固着部を、使い捨ておむつを構成する外面シートと内面シートの不織布からなるテープ固着部位間に挿入し、固着部両面と両シートのテープ固着部位を固着したことを特徴とする請求項６記載の使い捨て用品。
【発明の詳細な説明】
【０００１】
【発明の属する技術分野】
本発明は、使い捨て用品に関し、特に使い捨ておむつや使い捨て下着類や使い捨て衛生用品などにおいて、それを構成する不織布に、廃棄時に結束するための後処理テープや、使用者に装着するための止着テープなどの他の部材を固着した使い捨て用品に関するものである。
【０００２】
【従来の技術】
例えば、フラット型の使い捨ておむつは、液不透過性シートの外面に不織布を貼り合わせてクロス状の感触を持たせてなる外面シートと不織布からなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。後サイドフラップには止着テープが設けられ、前ウェスト部にフロントターゲットテープが設けられており、着用者の背側に後ウェスト部を、腹側に前ウェスト部を当てがって、後サイドフラップの止着テープを前ウェスト部のフロントターゲットテープに止着することで、この使い捨ておむつを装着するように構成されている。
【０００３】
また、パンツ型の使い捨ておむつは、フラット型使い捨ておむつの前サイドフラップと後サイドフラップを予め接合して、左右一対の脚開口部と胴開口部を形成したもので、基本的構造はフラット型と同様である。
【０００４】
このような使い捨ておむつを使用した後廃棄する際には、フラット型の場合は止着テープを利用し、パンツ型の場合は後面上部にＺ字状又はＶ字状に折り畳んだ状態で配設されている後処理テープを用いて、小さく巻いたり、折り畳んだりした状態で結束して廃棄するようになされている。
【０００５】
上記止着テープや後処理テープは、図７（ａ）に示すように、使い捨ておむつの表面を覆っている不織布５１にテープ５２の一端部を粘着材やホットメルト接着材などの接着材層５３を介して固着して取付けられている。
【０００６】
【発明が解決しようとする課題】
ところが、テープ５２を不織布５１に接着材層５３を介して固着した場合、図７（ｂ）に示すように、テープ５２に大きな剥離力が作用した時に、接着材層５３が不織布５１の表面に接着されていても、不織布５１に層間剥離を生じてテープ５２が外れてしまうことや、不織布５１の繊維に粘着材が十分に浸透せず強固に接着されず、接着材層５３が容易に剥がれてしまうことがあるという問題があった。
【０００７】
本発明は、上記従来の問題点に鑑み、不織布に固着される他の部材の固着性能を向上できる使い捨て用品を提供することを目的とする。
【０００８】
【課題を解決するための手段】
本発明は、使い捨て用品を構成する不織布の一部に他の部材を固着した使い捨て用品において、不織布の固着部位を、不織布を構成している繊維を圧密させた状態で相互に融着させた圧密融着部とし、この圧密融着部に他の部材を固着したものである。
【０００９】
この構成によれば、不織布が、低融点材料の繊維や、高融点材料をコアにしその表面を低融点材料で被覆した繊維を用いている場合に、他の部材の固着部位を加熱加圧して圧密融着部とし、この圧密融着部に他の部材を固着することで、不織布と他の部材間に大きな剥離力が作用した場合でも不織布の層間隔離を生じず、また不織布の圧密融着部表面の平滑性が増し粘着材等と繊維との接着強度が増すので、他の部材の固着性能を向上することができる。
【００１０】
また、他の部材が、不織布に一端部が固着され、他端部に設けられた接着部を外面の任意の箇所に接着可能なテープである場合に、前記圧密融着部にテープの一端部を固着すると、大きな剥離力が作用するテープの固着部においても不織布の層間隔離を生じず、また不織布の圧密融着部表面がフラットとなって粘着材等と繊維との接着強度が増すので、テープの固着性能を向上できて大きな効果を発揮する。
【００１１】
具体的には、テープの一端部と圧密融着部は、粘着材にて接着固定するのが好適であり、またテープに低融点材料層が設けられている場合にはテープの一端部と圧密融着部を加熱溶融させて一体固着したりすることができる。
【００１２】
また、テープは、使い捨て用品の廃棄時に結束する後処理テープや、フラット型使い捨ておむつを装着する止着テープに好適に適用できる。
【００１３】
また、止着テープの固着部を、使い捨ておむつを構成する外面シートと内面シートの不織布からなるテープ固着部位間に挿入し、固着部両面と両シートのテープ固着部位を固着すると、止着テープを一層強固に取付けることができる。
【００１４】
【発明の実施の形態】
以下、添付図面を参照して本発明を使い捨ておむつに適用した実施形態について説明し、本発明の理解に供する。なお、以下に示す実施形態は本発明を具体化した一例であって、本発明の技術的範囲を限定するものではない。
【００１５】
まず、本発明を、後処理テープを固着したパンツ型の使い捨ておむつに適用した第１の実施形態について、図１〜図３を参照して説明する。
【００１６】
図１において、１はパンツ型の不織布を用いた使い捨ておむつで、ＰＥシートなどの液不透過性シート２ｂの外面に不織布２ａを貼り合わせてクロス状の感触を持たせてなる外面シート２と不織布からなる内面シート３とそれらの間に配置された吸収体４にて構成された長方形状のシート基材５が用いられている。このシート基材５の中央両側部にえぐり部５ａを形成して中央で折り曲げ、両側縁部５ｂ同士をヒートシールにて接続することで胴部６を形成するとともに、えぐり部５ａにて脚開口部７を形成して構成されている。胴部６の胴開口部８には紐ゴム９が内蔵され、脚開口部７の回りにも紐ゴム１０が内蔵されている。
【００１７】
このような使い捨ておむつ１の胴部６の後側の表面に、使い捨ておむつ１をかさ低く折り畳んだ状態で結束して廃棄するための後処理テープ１１が配設されている。後処理テープ１１は、図２（ａ）に示すように、基片部１２と内側剥離片部１３と外側剥離片部１４がＺ字状に折り畳まれた状態で、その基片部１２が粘着材層１５を介して外面シート２の不織布２ａに固着されている。内側剥離片部１３は基片部１２上に折り畳まれた状態を保つように粘着材層１６にて粘着され、外側剥離片部１４の内側剥離片部１３に対向する面に結束時に止着するための粘着材層１７が設けられ、この粘着材層１７にて内側剥離片部１３上に折り畳まれた状態を保っている。
【００１８】
この使い捨ておむつ１を廃棄する際には、小さく折り畳んだ状態で、図２（ｂ）に示すように、後処理テープ１１の外側剥離片部１４を持って引き剥がして後処理テープ１１を引き延ばし、外側剥離片部１４の粘着材層１７を使い捨ておむつ１の外面の適所に接着させることで、使い捨ておむつ１を小さく折り畳んだ状態で結束して廃棄する。
【００１９】
本実施形態では、このような後処理テープ１１の基片部１２が外面シート２の不織布２ａから容易に外れるのを防止するため、図３に示すように、不織布２ａのテープ固着部位１８を、図３（ｂ）に示すように、加熱加圧することで不織布２ａを構成している繊維を圧密させた状態で相互に融着させた圧密融着部１９とし、この圧密融着部１９に粘着材層１５を介して後処理テープ１１の基片部１２を固着している。
【００２０】
不織布２ａはＰＥＴやＰＰなどの高融点材料をコアにしその表面をＰＥ低融点材料で被覆したバイコンポーネント繊維を用いており、圧密融着部１９は、加圧加熱治具にて０．２〜２．０ｋｇ／ｃｍ２　程度の圧力で加圧しつつ、５０〜２００℃程度の温度で加熱することによって形成している。また、粘着材層１５、１６、１７としては、例えばスチレン系ブロックポリマーを主剤とするものを用い、具体的にはスチレン−ブチレン−スチレンブロック共重合体（ＳＢＳ）、スチレン−イソブチレン−スチレンブロック共重合体（ＳＩＳ）などが用いられる。
【００２１】
このように不織布２ａのテープ固着部位１８に圧密融着部１９を形成することで、圧密融着部１９を形成しなかった場合に、対不織布９０度剥離強度が３３５ｇｆ／１５ｍｍであったのに対して、９２５ｇｆ／１５ｍｍの対不織布９０度剥離強度が得られた。
【００２２】
上記実施形態の説明では、後処理テープ１１を粘着材層１５にてテープ固着部位１８に固着した例を示したが、ホットメルト接着材などのその他の接着材にて接着しても良く、また後処理テープ１１に低融点材料層が設けられている場合には後処理テープ１１の基片部１２と圧密融着部１９を加熱溶融させて一体固着してもよく、その場合もテープ固着部位１８を圧密融着部１９とすることで不織布２ａの層間剥離を防止して高い固着力が確保される。さらに不織布表面がフラットになるため、粘着材層（接着材層）１５が均一に圧密融着部１９に接触し、不織布２ａと後処理テープ１１とを強固に接着することができる。
【００２３】
次に、本発明を、止着テープを固着したフラット型の使い捨ておむつに適用した第２の実施形態について、図４、図５を参照して説明する。
【００２４】
図４において、使い捨ておむつ２１は、図５に示すように、ＰＥシートなどの液不透過性シート２２ｂの外面に不織布２２ａを貼り合わせてクロス状の感触を持たせてなる外面シート２２と不織布からなる内面シート２３との間に吸収体２４を介在させた構成で、前ウェスト部２５から股間部２６を経て後ウェスト部２７に至る縦長形状に形成されている。
【００２５】
前ウェスト部２５と後ウェスト部２７間では、吸収体２４の両側部に、糸ゴム等の弾性伸縮部材を伸長状態にして配置してシート２３に接合することで立体ギャザー部２８及びギャザリングされた外縁部２９が形成され、前ウェスト部２５と後ウェスト部２７では、発泡ポリウレタンなどの弾性伸縮部材をギャザリングしたシート２２、２３に接合することでウェストにフィットするように構成されている。前ウェスト部２５及び後ウェスト部２７には、それぞれ両側外方に延出する前サイドフラップ３１と後サイドフラップ３２が設けられている。
【００２６】
後サイドフラップ３２には止着テープ３３が設けられ、前ウェスト部２５には止着テープ３３の止着面となるフロントターゲットテープ３４が設けられている。フロントターゲットテープ３４は、その表面に止着面を構成する易剥離面が設けられ、また目印線３４ａが表示されている。
【００２７】
この使い捨ておむつ２１の装着時には、着用者の背側に後ウェスト部２７、腹側に前ウェスト部２５を当てがい、目印線３４ａを目安に着用者の体格、体型に応じて止着テープ３３の止着位置を決め、フロントターゲットテープ３４に止着する。この止着テープ３３の止着によりレッグ開口部が形成され、着用者の股部分を外縁部２９で包み込み、その内側に立体ギャザー部２８が位置して尿漏れが防止される。
【００２８】
このような全体構成の使い捨ておむつ２１において、止着テープ３３は、図５に示すように、遊端部にフロントターゲットテープ３４に対する止着部３５が設けられ、基端部の固着部３６が外面シート２２の不織布２２ａと不織布から成る内面シート２３との間に挿入配置され、また不織布２２ａと内面シート２３のテープ固着部位３８は加熱加圧され、不織布を構成している繊維を圧密させた状態で相互に融着させた圧密融着部３９とされ、固着部３６の両面がホットメルト接着材３７を介して不織布２２ａと内面シート２３に接着されている。
【００２９】
このように、止着テープ３３の固着部３６を外面シート２２と内面シート２３の間に挿入し、両シート２２、２３のテープ固着部位３８を不織布の圧密融着部３９としてホットメルト接着材３７にて加熱接着することにより、止着テープ３３が強固に固着され、不測に外れるのを確実に防止することができる。
【００３０】
なお、本実施形態では止着テープ３３の固着部３６を外面シート２２と内面シート２３の間に挿入しているので、止着テープ３３の固着強度を高くできるが、単純に固着部３６をホットメルト接着材３７にて内面シート２３に接着するようにしてもよい。また、その他の接着材を用いて接着しても良く、また両者を相互に加熱融着しても良く、その場合にも不織布のテープ固着部位３８を圧密融着部３９とすることで、不織布の層間剥離を無くして高い接着力を安定して得ることができる。さらに不織布表面がフラットになるため、ホットメルト接着材３７が均一に圧密融着部３９に接触し、不織布と止着テープ３３とを強固に接着することができる。
【００３１】
次に、本発明を、フラット型の使い捨ておむつの内面シートと吸収体の固着に適用した第３の実施形態について、図６を参照して説明する。
【００３２】
図６において、４１は使い捨ておむつで、ＰＥシートなどの液不透過性シートの外面に不織布を貼り合わせてクロス状の感触を持たせてなる外面シート４２と不織布からなる内面シート４３との間に、クレープ紙などでくるまれた吸収体４４が介在されている。そして、内面シート４３と、吸収体４４外面のクレープ紙や外面シート４２が、複数条のスパイラル状ホットメルト接着材４５にて接着されている。本実施形態では、この内面シート４３のスパイラル状のホットメルト接着材４５にて接着される接着部位４６を予め加熱加圧することで、不織布を構成している繊維を圧密させた状態で相互に融着させた圧密融着部４７としている。従って、内面シート４３と吸収体４４をくるんでいるクレープ紙などとの固着が、内面シート４３を構成する不織布の層間剥離によって不測に剥がれてしまうというようなことがなく、内面シート４３と吸収体４４とがホットメルト接着材４５にて高い接着力で固着されている。さらに不織布表面がフラットになるため、ホットメルト接着材４５が均一に圧密融着部４７に接触し、不織布と吸収体４４とを強固に接着することができる。
【００３３】
かくして、本実施形態によれば、使用中に内面シート４３と吸収体４４が分離して異物感や不快感を与える恐れがなく、使用感を向上することができる。
【００３４】
【発明の効果】
本発明の使い捨て用品によれば、不織布の固着部位を、不織布を構成している繊維を圧密させた状態で相互に融着させた圧密融着部とし、この圧密融着部に他の部材を固着したので、不織布が、低融点材料の繊維や、高融点材料をコアにしその表面を低融点材料で被覆した繊維を用いている場合に、他の部材の固着部位を加熱加圧して圧密融着部とし、この圧密融着部に他の部材を固着することで、不織布と他の部材間に大きな剥離力が作用した場合でも不織布の層間隔離を生じず、また不織布の圧密融着部表面がフラットとなって粘着材等と繊維との接着強度が増すので、他の部材の固着性能を向上することができる。
【図面の簡単な説明】
【図１】本発明の第１の実施形態の使い捨ておむつの斜視図である。
【図２】図１のＡ−Ａ矢視拡大断面を示し、（ａ）は折り畳み状態の断面図、（ｂ）は使用時の状態の断面図である。
【図３】同実施形態の要部構成を示し、（ａ）は使い捨ておむつの全体正面図、（ｂ）は（ａ）のＢ−Ｂ矢視拡大断面図である。
【図４】本発明の第２の実施形態の使い捨ておむつの斜視図である。
【図５】同実施形態の要部構成を示す拡大断面模式図である。
【図６】本発明の第３の実施形態の使い捨ておむつの分解斜視図である。
【図７】従来例の使い捨ておむつにおけるテープ固着構造を示し、（ａ）は拡大断面図、（ｂ）は剥離力が作用した時の状態を示す拡大断面図である。
【符号の説明】
１　使い捨ておむつ
２　外面シート
２ａ　不織布
１１　後処理テープ
１５　粘着材層
１８　テープ固着部位
１９　圧密融着部
２１　使い捨ておむつ
２２　外面シート
２２ａ　不織布
３３　止着テープ
３７　ホットメルト接着材
３８　テープ固着部位
３９　圧密融着部
４１　使い捨ておむつ
４３　内面シート
４４　吸収体
４５　ホットメルト接着材
４６　接着部位
４７　圧密融着部
【図１】
2004073297.tif 000003
【図２】
2004073297.tif 000004
【図３】
2004073297.tif 000005
【図４】
2004073297.tif 000006
【図５】
2004073297.tif 000007
【図６】
2004073297.tif 000008
【図７】
2004073297.tif 000009